(57)【要約】    【課題】  ケース構造体を３分割したケースで構成し、個々のケースの組み合わせにより複数種類のケース構造体を構成可能にして、金型コストを抑えつつ機種のバリエーションを飛躍的に増加させる。    【解決手段】  単一種類の前側下ケースＬＣｆに対して、上ケースＵＣ、ＵＣ２、ＵＣ３うち１つと後側下ケースＬＣｒ、ＬＣｒ２、ＬＣｒ３うち１つとをそれぞれ選択し、上ケースＵＣの締結用凸部１６、１７と前側下ケースＬＣｆのネジ挿通穴２４、２９、及び上ケースＵＣの締結用凸部１３、１４、１５と鍵並び方向のネジ挿通穴４０、３８、３４とをそれぞれ締結することで、異なる複数種類のケース構造体が構成される。【選択図】      図６
2006178354.tif 000002
【特許請求の範囲】
【請求項１】
鍵盤ユニットが内装されるケース構造体を有する鍵盤楽器の外装構造であって、
それぞれ複数の第１、第２締結部を有する上ケースと、
前記上ケースの前記複数の第１締結部に対応する複数の第１締結部対応部を有する前側下ケースと、
前記上ケースの下方であって前側下ケースより後側に配置され、前記上ケースの前記複数の第２締結部に対応する複数の第２締結部対応部を有する後側下ケースとを有し、
前記上ケースの前記複数の第１締結部と前記前側下ケースの前記複数の第１締結部対応部とを締結すると共に、前記上ケースの前記複数の第２締結部と前記後側下ケースの前記複数の第２締結部対応部とを締結することで、前記前側下ケース及び前記後側下ケースが前記上ケースに対して固定状態とされ、これにより前記ケース構造体が構成されることを特徴とする鍵盤楽器の外装構造。
【請求項２】
前記前側下ケースと前記後側下ケースとは、前後方向にオーバーラップして連結され、前記前側下ケース及び前記後側下ケースのオーバーラップした部分には、前記鍵盤ユニットを支持する鍵盤ユニット支持部が設けられたことを特徴とする請求項１記載の鍵盤楽器の外装構造。
【請求項３】
前記上ケースは、前記ケース構造体の前後長に亘る左右両側部を有し、該左右両側部にはそれぞれ、前記第１締結部と前記第２締結部とが、少なくとも１つずつ配置されたことを特徴とする請求項１または２記載の鍵盤楽器の外装構造。
【請求項４】
上ケースと、鍵盤ユニットを支持する前側下ケースと、前記上ケースの下方であって前記前側下ケースより後側に配置される後側下ケースとを組み付けることでケース構造体が構成される鍵盤楽器の外装構造であって、
前記上ケース及び後側下ケースをそれぞれ複数種類設けると共に、
前記前側下ケースを単一種類のみ設け、
複数種類の前記上ケースのうち１つの種類の上ケースと複数種類の前記後側下ケースのうち１つの種類の後側下ケースとを、前記前側下ケースに、それぞれ選択的に組み付けることで、異なる複数種類のケース構造体を構成し得るようにしたことを特徴とする鍵盤楽器の外装構造。
【発明の詳細な説明】
【技術分野】
【０００１】
本発明は、鍵盤ユニットが内装される複数ケース結合型のケース構造体を有する鍵盤楽器の外装構造に関する。
【背景技術】
【０００２】
従来、下記特許文献１に示されるように、単一種類の下ケース（下筐体）に対して２種類の上ケース（上筐体）を選択的に組み合わせて２種類のケース構造体（筐体）を構成し得るようにした鍵盤楽器の外装構造が知られている。この種の外装構造では、一般に、上ケース及び下ケースは樹脂製で、金型により成形される。そして、上ケースにネジ用下穴を設けると共に、それに対応するネジ止め用のバカ穴を下ケースに設け、下方からネジ止めして両ケースが固定される。
【特許文献１】実登２５４５３５３号公報
【発明の開示】
【発明が解決しようとする課題】
【０００３】
しかしながら、この種の外装構造においては、例えば、上ケースのパネル面の角度を機種毎に異ならせたい場合において、金型の、上記ネジ用下穴に対応する部分にアンダーカットが生じないようにするためには、上ケースのネジ用下穴は、パネル面に対してほぼ垂直にするのが望ましい。ところが、ネジ用下穴をパネル面に垂直にすると、下ケースにおいて、ネジの頭部が当接する面の角度も、ネジ用下穴の角度に合わせて（ネジ用下穴の角度に垂直に）設定することが望ましいため、結局、下ケースは、機種毎に共通化することが難しくなる。
【０００４】
一方、上ケースのネジ用下穴を、断面長穴に形成し、該長穴のネジ用下穴に対してネジを斜めに螺合することを可能にすることで、多種類の上ケースを単一種類の下ケースに選択的に組み付けるようにすることも考えられる。しかしながら、そのようにすると、長穴のネジ用下穴の短辺方向の部分でのみネジが螺合し、ネジにむき出し部が形成されるため、締結剛性が低く、また、螺合時にネジが真っ直ぐ進みにくいため、締結精度も悪い。しかも、金型に長穴を形成するため、断面円形の穴に比し加工が容易でなく、金型コストが上昇する。
【０００５】
また、下ケースを単一種類で各機種共通とする場合、たとえ上ケースを複数種類設けるとしても、鍵盤楽器の奥行き方向の寸法乃至平面視形状は下ケースに依存してほぼ決まってしまい、デザインや安定性等の観点から、特に上ケースの奥行きを長くできず、異機種間で大小差のあるものを製作することが困難である。
【０００６】
このような理由から、金型コストを抑えることを前提とすれば、上ケースの設計には制約が大きく、下ケースを共用して上ケースだけを機種毎に取り替えることで、多機種生産に対応することが、事実上は容易でなく、製造可能な機種数は、あまり多くできないのが実情であった。
【０００７】
本発明は上記従来技術の問題を解決するためになされたものであり、その目的は、金型コストを抑えつつ機種のバリエーションを飛躍的に増加させることができる鍵盤楽器の外装構造を提供することにある。
【課題を解決するための手段】
【０００８】
上記目的を達成するために本発明の請求項１の鍵盤楽器の外装構造は、鍵盤ユニット（ＫＢＵ）が内装されるケース構造体を有する鍵盤楽器の外装構造であって、それぞれ複数の第１、第２締結部を有する上ケース（ＵＣ）と、前記上ケースの前記複数の第１締結部（１６、１７）に対応する複数の第１締結部対応部（２４、２９）を有する前側下ケース（ＬＣｆ）と、前記上ケースの下方であって前側下ケースより後側に配置され、前記上ケースの前記複数の第２締結部（１３、１４、１５）に対応する複数の第２締結部対応部（４０、３８、３４）を有する後側下ケース（ＬＣｒ）とを有し、前記上ケースの前記複数の第１締結部と前記前側下ケースの前記複数の第１締結部対応部とを締結すると共に、前記上ケースの前記複数の第２締結部と前記後側下ケースの前記複数の第２締結部対応部とを締結することで、前記前側下ケース及び前記後側下ケースが前記上ケースに対して固定状態とされ、これにより前記ケース構造体が構成されることを特徴とする。
【０００９】
この構成によれば、３分割したケースでケース構造体を構成し、個々のケースの組み合わせにより複数種類のケース構造体を構成可能にして、金型コストを抑えつつ機種のバリエーションを飛躍的に増加させることができる。
【００１０】
好ましくは、前記前側下ケースと前記後側下ケースとは、前後方向にオーバーラップして連結され、前記前側下ケース及び前記後側下ケースのオーバーラップした部分（ＣＮ２）には、前記鍵盤ユニットを支持する鍵盤ユニット支持部（２６ｂ）が設けられる（請求項２）。この構成によれば、ケース構造体全体の剛性が確保される。さらに好ましくは、前記上ケースの前記複数の第１締結部の少なくとも１つ（１６）及び前記複数の第２締結部の少なくとも１つ（１５）は、前記上ケースにおいて、前記オーバーラップした部分に配置される。これにより、締結された位置に鍵盤ユニットが支持されるので、鍵盤ユニットの取り付け精度が向上する。
【００１１】
さらに好ましくは、前記上ケースは、前記ケース構造体の前後長に亘る左右両側部（１２Ｌ、１２Ｒ）を有し、該左右両側部にはそれぞれ、前記第１締結部（１６、１７）と前記第２締結部（１３）とが、少なくとも１つずつ配置される（請求項３）。この構成によれば、前側下ケース及び後側下ケースが、上ケースの左右両側部を実質的なつなぎ部として固定されるので、ケース構造体の前後方向の剛性を高めることができる。
【００１２】
上記目的を達成するために本発明の請求項４の鍵盤楽器の外装構造は、上ケースと、鍵盤ユニットを支持する前側下ケースと、前記上ケースの下方であって前記前側下ケースより後側に配置される後側下ケースとを組み付けることでケース構造体が構成される鍵盤楽器の外装構造であって、前記上ケース（ＵＣ、ＵＣ２、ＵＣ３）及び後側下ケース（ＬＣｒ、ＬＣｒ２、ＬＣｒ３）をそれぞれ複数種類設けると共に、前記前側下ケースを単一種類のみ設け（ＬＣｆ）、複数種類の前記上ケースのうち１つの種類の上ケースと複数種類の前記後側下ケースのうち１つの種類の後側下ケースとを、前記前側下ケースに、それぞれ選択的に組み付けることで、異なる複数種類のケース構造体を構成し得るようにしたことを特徴とする。
【００１３】
この構成によれば、前側下ケースに上ケースと後側下ケースとを選択的に組み付けて複数種類のケース構造体を構成可能にして、金型コストを抑えつつ機種のバリエーションを飛躍的に増加させることができる。
【００１４】
なお、上記括弧内の符号は例示である。
【発明の効果】
【００１５】
本発明によれば、金型コストを抑えつつ機種のバリエーションを飛躍的に増加させることができる。
【発明を実施するための最良の形態】
【００１６】
以下、本発明の実施の形態を図面を参照して説明する。
【００１７】
図１は、本発明の一実施の形態に係る外装構造が適用される鍵盤楽器の、鍵盤ユニットと上ケースＵＣとを外した状態を示す平面図である。図２は、同鍵盤装置の底面図である。図３は、図２のIII−III線に沿う断面図である。
【００１８】
本実施の形態の外装構造では、図３に示すように、いずれも樹脂製の、鍵盤ユニットＫＢＵ、前側下ケースＬＣｆ、上ケースＵＣ及び後側下ケースＬＣｒを組み付けて、鍵盤装置１００が構成される。鍵盤ユニットＫＢＵと前側下ケースＬＣｆとをアセンブルした組体を、以下、「鍵盤付き前側下ケースＫＢＬＣ」と称する。また、前側下ケースＬＣｆ、上ケースＵＣ及び後側下ケースＬＣｒを組み付けたものは、鍵盤ユニットＫＢＵが内装される外装部分に相当するので、これを「ケース構造体」とも称する。
【００１９】
また、後述するように、鍵盤付き前側下ケースＫＢＬＣに、上ケースＵＣ及び後側下ケースＬＣｒに代えて、上ケースＵＣ２及び後側下ケースＬＣｒ２を組み付けることで、鍵盤装置２００が構成され（図１１）、上ケースＵＣ３及び後側下ケースＬＣｒ３を組み付けることで、鍵盤装置３００が構成される（図１５）。すなわち、本実施の形態では、鍵盤付き前側下ケースＫＢＬＣを共通として、構成が異なる上ケース及び後側下ケースを選択的に組み付けることで、異なる複数機種の鍵盤装置を構成可能にしたものである。
【００２０】
以下では、複数機種の鍵盤装置として、鍵盤装置１００、２００、３００の３つを例示する。鍵盤装置１００は図１〜図１０、鍵盤装置２００は図１１〜図１４、鍵盤装置３００は図１５を用いてそれぞれ説明する。以降、鍵盤装置１００、２００、３００の説明においては、各鍵盤装置の奏者側を前方と称し、上下、左右の方向は奏者を基準として呼称する。
【００２１】
［鍵盤装置１００の説明］
図４は、上ケースＵＣの裏面図である。上ケースＵＣは平面視コ字状を呈し、主部１１と左右両側部１２（１２Ｌ、１２Ｒ）とで一体に構成される。左右両側部１２Ｌ、１２Ｒは、鍵盤装置１００の前後方向略全長に亘って形成され、左側部１２Ｌは、後半部１２Ｌａと、後半部１２Ｌａから前方に延設された延設部１２Ｌｂとで成り、右側部１２Ｒは、後半部１２Ｒａと、後半部１２Ｒａから前方に延設された延設部１２Ｒｂとで成る。
【００２２】
上ケースＵＣには、下方に突出形成された締結用凸部１３〜１７が複数設けられ、これらには、螺合用下穴（後述）が各々形成され、ている。上ケースＵＣの後部に、４つの締結用凸部１３（１３（１）〜１３（４））、及び１つの締結用凸部１４が設けられる。締結用凸部１４は左右方向中央に位置し、締結用凸部１３は左右方向において分散配置されている。主部１１の前部に２つの締結用凸部１５（１５（１）、１５（２））が設けられる。上ケースＵＣの前後方向略中央であって左右両側部１２Ｌ、１２Ｒに、各々１つずつ、締結用凸部１６が設けられ（１６（１）、１６（２））、締結用凸部１６は締結用凸部１５よりやや前方に位置する。また、左右両側部１２Ｌ、１２Ｒの前部に、各々１つずつ、締結用凸部１７が設けられる（１７（１）、１７（２））。
【００２３】
詳細は後述するが、図３に示すように、前側下ケースＬＣｆと後側下ケースＬＣｒとは、中間連結部ＣＮ２（図１〜図３）にてオーバーラップして結合される。また、後側下ケースＬＣｒと上ケースＵＣとは、後側連結部ＣＮ１及び中間連結部ＣＮ２において結合され、前側下ケースＬＣｆと上ケースＵＣとは、中間連結部ＣＮ２及び前側連結部ＣＮ３において結合される（図１０（ｂ）参照）。鍵盤ユニットＫＢＵは、中間連結部ＣＮ２において前側下ケースＬＣｆに装着される。
【００２４】
図５は、前側下ケースＬＣｆと後側下ケースＬＣｒとの組み付けの様子を示す斜視図である。同図では、前側下ケースＬＣｆの底面側と後側下ケースＬＣｒの上面側が見えている。
【００２５】
前側下ケースＬＣｆは、鍵盤装置１００の前半部に対応する。図１に示すように、前側下ケースＬＣｆの前部の左右両側部には、上方に突出形成された２つの締結用凸部２８（２８（１）、２８（２））が設けられる。これら締結用凸部２８は、上ケースＵＣの締結用凸部１７（図４参照）に対応する位置に設けられている。締結用凸部２８には、ネジ止め用のバカ穴である２つのネジ挿通穴２９（２９（１）、２９（２））が形成されている。
【００２６】
また、図１、図５に示すように、前側下ケースＬＣｆの後部には、ネジ止め用のバカ穴である各２つのネジ挿通穴２３（２３（１）、２３（２））、２４（２４（１）、２４（２））が設けられ、これらネジ挿通穴２３、２４は、上ケースＵＣの締結用凸部１５、１６に対応する位置に形成されている。
【００２７】
一方、後側下ケースＬＣｒは、鍵盤装置１００の後半部に対応する。図５に示すように、後側下ケースＬＣｒの前部には、上方に突出形成された２つの締結用凸部３３（３３（１）、３３（２））及び２つの締結用凸部３５（３５（１）、３５（２））が設けられる。これら締結用凸部３３、３５は、上ケースＵＣの締結用凸部１５、１６に対応する位置に設けられている。締結用凸部３３、３５には、前側下ケースＬＣｆのネジ挿通穴２３、２４に対応して、各々、ネジ止め用のバカ穴であるネジ挿通穴３４（３４（１）、３４（２））、３６（３６（１）、３６（２））が設けられる。従って、ネジ挿通穴２３、２４の位置にネジ挿通穴３４、３６が対応しつつ、なおかつ締結用凸部１５、１６もこれらに対応して重なることになる。
【００２８】
また、図５に示すように、後側下ケースＬＣｒの後部には、上方に突出形成された４つの締結用凸部３９（３９（１）〜３９（４））及び１つの締結用凸部３７が設けられる（図６も参照）。締結用凸部３９、３７は、上ケースＵＣの締結用凸部１３、１４に対応する位置に設けられる。締結用凸部３９（１）〜３９（４）、３７には、各々、ネジ止め用のバカ穴であるネジ挿通穴４０（４０（１）〜４０（４））、３８が形成されている。
【００２９】
図６は、図２のVI−VI線に沿う断面図、図７は、図２のVII−VII線に沿う断面図である。図８は、図２、図３に示す中間連結部ＣＮ２の部分拡大図である。
【００３０】
まず、中間連結部ＣＮ２に着目すると、図１、図５、図６、図７に示すように、前側下ケースＬＣｆの後部には、断面コ字状で下側に凹となった樋状部２６が設けられる。図６、図７に示すように、樋状部２６は、主に、前側下ケースＬＣｆの底板部２５の後部から立ち上がった立ち上がり部２６ａと、立ち上がり部２６ａから後方に略水平に延びる床敷部２６ｂと、床敷部２６ｂの後部から下方に垂下する垂下リブ２６ｃとから成る。なお、床敷部２６ｂの「略水平」の程度は、鍵盤ユニットＫＢＵの押鍵終了時に鍵が略水平になるような角度であればよく、「略水平」には、「垂直」を除く広い角度が含まれる。
【００３１】
図１に示すように、樋状部２６の内側（上側）には、後述するフラットケーブル６６（図９参照）が通る６個の溝部３０（３０（１）〜３０（６））が、上方に開口して前後方向に沿って形成されている。
図１、図７に示すように、床敷部２６ｂの上面２６ｂ４からは、突条状の２本のガイドレール２７ｆ、２７ｒが、溝部３０の位置を除きほぼ全鍵幅に亘って形成されている。これらガイドレール２７ｆ、２７ｒは、鍵盤ユニットＫＢＵの共通基端部５０の前後方向の仮位置決め基準となる。
【００３２】
各溝部３０は、鍵並び方向に亘って形成される床敷部２６ｂを鍵長手方向（前後方向）に横切る形に形成される。図５に示すように、下方からみると、各溝部３０は、各溝部３０に対応する６個の凸部２２として、下方に突出して形成されることとなる。なお、これら６個の溝部３０のすべてにフラットケーブル６６を通す必要はなく、６個の溝部３０のうち当該機種にふさわしいもののみを選択してフラットケーブル６６の通過用に使用できるように、多めに設けられている。
【００３３】
また、図７に示すように、床敷部２６ｂのうち上記ネジ挿通穴２３が穿設される部分は、被当接部２６ｂ１となっており、被当接部２６ｂ１の前方において、床敷部２６ｂの下面からは、補強用のリブ２６ｂ３が垂下して設けられている。また、図８に示すように、床敷部２６ｂのうち上記ネジ挿通穴２４が穿設される部分は、被当接部２６ｂ２となっている。被当接部２６ｂ２の下面は、後側下ケースＬＣｒの締結用凸部３５と当接する下方に凸曲面状の被当接面２６ｂ２ａとなっている。被当接面２６ｂ２ａを凸曲面状とすることで、ネジ６４の軸方向が機種毎に異なっていても、当接部が過変形しないようにすることができる。
【００３４】
なお、被当接面２６ｂ２ａを凸曲面状とせず、所定角度の平面とし、後側下ケースＬＣｒの当接部３５ｂが被当接面２６ｂ２ａに対して機種毎の所定角度で当接するように、当接部３５ｂの角度を機種毎に設定するようにしてもよい。
【００３５】
一方、後側下ケースＬＣｒにおいて、上記締結用凸部３３は、図７に示すように、前壁部３３ａ、当接部３３ｂ及び後壁部３３ｃを有して成る。当接部３３ｂの下面は、ネジ６３の頭部と当接する被当接面３３ｂ１となっている。また、図３、図８に示すように、上記締結用凸部３５は、前壁部３５ａ、当接部３５ｂ及び後壁部３５ｃを有して成る。後側下ケースＬＣｒの底板部４１の前部からは、立ち上がり部４２が立ち上がり、立ち上がり部４２の上部は前方に水平に延びて、後壁部３５ｃに繋がっている。当接部３５ｂの下面は、ネジ６４の頭部と当接する被当接面３５ｂ１となっている。
【００３６】
図５、図６に示すように、後側下ケースＬＣｒの底板部４１の前部からは、ほぼ鉛直方向に、リブ３１が設けられる。リブ３１は、複数の締結用凸部３３、３５と一体に構成され、締結用凸部３５（１）、３５（２）間において締結用凸部３３（１）、３３（２）を途中に介して左右方向に延び、後側下ケースＬＣｒの略全幅に亘って形成されている。リブ３１には、前側下ケースＬＣｆの凸部２２との干渉を避けるための切り欠き部３２が凸部２２に対応して６箇所設けられている。
【００３７】
鍵盤装置１００の組み付け時においては、図３、図６〜図８に示すように、締結用凸部３３、３５が樋状部２６の内側部分（凹側部分）に下方から嵌入された状態となる。そして、当接部３３ｂと被当接部２６ｂ１とが当接すると共に、当接部３５ｂと被当接部２６ｂ２の被当接面２６ｂ２ａとが当接する。また、被当接部２６ｂ２の上面である受け面２６ｂ２ｂに対し、上方から上ケースＵＣの締結用凸部１６の下端面である当接面１６ｂが当接する（図８参照）。
【００３８】
図６、図７に示すように、鍵盤ユニットＫＢＵは、複数の白鍵及び黒鍵が、それらの共通基端部５０で、所定（例えば、１オクターブ）の単位で３層に積層されて構成される公知の構成のものである。鍵盤ユニットＫＢＵは、共通基端部５０が前側下ケースＬＣｆに装着されることで、前側下ケースＬＣｆと一体となって、鍵盤付き前側下ケースＫＢＬＣとなる。共通基端部５０の上面５１は側面視で凸曲面となっており、鍵盤装置１００の組み付け時には、この上面５１に上ケースＵＣの締結用凸部１５が当接する。鍵盤ユニットＫＢＵを前側下ケースＬＣｆに組み付ける際には、まず、共通基端部５０を、ガイドレール２７ｆ、２７ｒ間に挟まれるように床敷部２６ｂの上面２６ｂ４に載置する。これで鍵盤ユニットＫＢＵの仮置き状態となり、その後、不図示の複数の小ネジで共通基端部５０を床敷部２６ｂに固定することで、鍵盤ユニットＫＢＵが床敷部２６ｂに支持された鍵盤付き前側下ケースＫＢＬＣが得られる。なお、前側下ケースＬＣｆには、鍵盤ユニットＫＢＵが装着される前に、スイッチ６７等が設けられる基板６８の他、ストッパ等の各種機能部品が装着される。
【００３９】
図６に示すように、鍵盤装置１００の組み付けは、締結用凸部１３、１４、１５、１６、１７にそれぞれ対応したネジ６１、６２、６３、６４、６５の螺着によりなされる。上ケースＵＣには、ネジ６１〜６５に対応するいずれも断面円形の螺合用下穴が複数設けられており、各ネジ６１〜６５を回転させて、対応する螺合用下穴に雌ねじを形成（転造）しつつ螺合する。
【００４０】
中間連結部ＣＮ２においては、各２本のネジ６３（１）、６３（２）、６４（１）、６４（２）で組み付けがなされる。まず、図７、図８に示すように、上ケースＵＣの各締結用凸部１５、１６には、それぞれ、螺合用下穴１５ａ、１６ａが形成されている。図７に示すように、ネジ６３を、ネジ挿通穴３４、２３及び共通基端部５０内の穴を下方から貫通させ、締結用凸部１５の螺合用下穴１５ａに対して螺合する。これにより、後側下ケースＬＣｒ、前側下ケースＬＣｆ、鍵盤ユニットＫＢＵ及び上ケースＵＣが共締め状態で結合固定される。また、図８に示すように、ネジ６４を、ネジ挿通穴３６、２４を下方から貫通させ、締結用凸部１６の螺合用下穴１６ａに対して螺合する。これにより、鍵盤装置１００の左右両側部において、後側下ケースＬＣｒ、前側下ケースＬＣｆ及び上ケースＵＣが共締め状態で結合固定される。
【００４１】
図９は、図２のIX−IX線に沿う断面図である。前側下ケースＬＣｆにおいて、基板６８には、電気配線用のフラットケーブル６６が６本接続される。鍵盤装置１００の組み付け後においては、図９に溝部３０（１）を示したように、後側下ケースＬＣｒの６個の溝部３０に、対応するフラットケーブル６６が挿通される。溝部３０は縦長であり、フラットケーブル６６はそれに応じて鉛直方向に平行にされ、小さいスペースが有効利用されている。
【００４２】
図１０（ａ）は、前側連結部ＣＮ３の部分縦断面図、同図（ｂ）は後側連結部ＣＮ１の部分縦断面図である。
【００４３】
前側連結部ＣＮ３において、同図（ａ）に示すように、上ケースＵＣの各締結用凸部１７には、螺合用下穴１７ａが形成されている。前側下ケースＬＣｆの各締結用凸部２８は、上述のようにネジ挿通穴２９を有するほか（図１参照）、締結用凸部１７の下面である当接面１７ｂと当接する受け面２８ｂと、対応するネジ６５の頭部と当接する下方に凸曲面状の被当接面２８ａとを有する。
【００４４】
鍵盤装置１００の組み付け時においては、下方から、ネジ６５を、ネジ挿通穴２９を貫通させ、締結用凸部１７の螺合用下穴１７ａに対して螺合する。これにより、鍵盤装置１００の前部において前側下ケースＬＣｆと上ケースＵＣとが結合固定される。
【００４５】
また、後側連結部ＣＮ１において、図１０（ｂ）に示すように、上ケースＵＣの各締結用凸部１３には、螺合用下穴１３ａが形成されている。後側下ケースＬＣｒの各締結用凸部３９は、上述のようにネジ挿通穴４０を有するほか（図１参照）、締結用凸部１３の下面である当接面１３ｂと当接する受け面３９ｂと、対応するネジ６１の頭部と当接する被当接面３９ａとを有する。なお、ネジ６２に対応する構成（締結用凸部１４、締結用凸部３７、ネジ挿通穴３８）については、ネジ６１に対応する構成と、上下方向の位置が主に異なるだけで、基本的構成は同様であるのでその説明を省略し、特に、締結用凸部１４の螺合用下穴も螺合用下穴１３ａと同様であってその図示を省略する。
【００４６】
鍵盤装置１００の組み付け時においては、下方から、ネジ６１を、ネジ挿通穴４０を貫通させ、締結用凸部１３の螺合用下穴１３ａに対して螺合する。ネジ６２についても同様にして、締結用凸部１４の螺合用下穴に螺合する。これにより、鍵盤装置１００の後部において後側下ケースＬＣｒと上ケースＵＣとが結合固定される。
【００４７】
鍵盤装置１００の組み付け手順として、実際には、前側下ケースＬＣｆへの後側下ケースＬＣｒの組み付けは、前側下ケースＬＣｆに鍵盤ユニットＫＢＵを組み付けて鍵盤付き前側下ケースＫＢＬＣを構成した後になされる。すなわち、まず、鍵盤付き前側下ケースＫＢＬＣを構成する。そして、裏返しに載置した上ケースＵＣの前半部に、鍵盤付き前側下ケースＫＢＬＣを裏返して載置すると共に、鍵盤付き前側下ケースＫＢＬＣの後方に、後側下ケースＬＣｒを裏返して載置する。その際、前側下ケースＬＣｆと後側下ケースＬＣｒとが、中間連結部ＣＮ２でオーバーラップするように設置する。そして、各ネジ６１〜６５を、対応する螺合用下穴に螺合する。
【００４８】
このようにして鍵盤装置１００を組み付けたとき、図３、図６〜図８に示すように、垂下リブ２６ｃと後壁部３３ｃ、立ち上がり部２６ａと前壁部３５ａ、立ち上がり部２６ａと前壁部３３ａ、立ち上がり部２６ａとリブ３１、垂下リブ２６ｃと後壁部３５ｃ、リブ２６ｂ３と前壁部３３ａ、垂下リブ２６ｃと立ち上がり部４２が、それぞれ比較的近接して対向している。これらいずれも略鉛直方向に沿った壁部同士が近接対向することで、前側下ケースＬＣｆと後側下ケースＬＣｒとを組み付けて成る「下側ケース」の水平方向における剛性が高い。しかも、締結用凸部３３、３５が樋状部２６の内側に嵌入されるので、上記下側ケースの鍵並び方向における剛性も高い。従って、前側下ケースＬＣｆと後側下ケースＬＣｒとに着目すると、分割して構成した下側ケースでありながら、一体の下側ケースと同等の強度が確保されている。
【００４９】
［鍵盤装置２００の説明］
図１１は、鍵盤装置２００の構成を示す断面図であり、図３に対応する図である。鍵盤装置２００は、鍵盤装置１００と共通の前側下ケースＬＣｆ及び鍵盤ユニットＫＢＵに、後側下ケースＬＣｒとは異なる後側下ケースＬＣｒ２と上ケースＵＣとは異なる上ケースＵＣ２とを組み付けて構成される。後側下ケースＬＣｒ２と上ケースＵＣ２とは後側連結部ＣＮ４及び中間連結部ＣＮ５において結合され、前側下ケースＬＣｆと後側下ケースＬＣｒ２とは中間連結部ＣＮ５において結合され、前側下ケースＬＣｆと上ケースＵＣ２とは中間連結部ＣＮ５及び前側連結部ＣＮ６において結合される。
【００５０】
図１２は、図７に対応する中間連結部ＣＮ５の部分縦断面図である。図１３（ａ）は、前側連結部ＣＮ６の部分縦断面図であり、図１０（ａ）に対応する。図１３（ｂ）は、中間連結部ＣＮ５の部分縦断面図であり、図８に対応する。
【００５１】
鍵盤装置１００と鍵盤装置２００とでは、組み付けに用いる締結手段として、同一のネジ６１〜６５（ネジ６１、６２については図２参照）を用いる点で共通である。上ケースＵＣと上ケースＵＣ２とでは、パネル面（上面）の角度が異なり、それに伴い、各ネジ６１〜６５に対応する螺合用下穴の角度が異なっている。すなわち、鍵盤装置１００では、図６に示すように、螺合用下穴１３ａ、１５ａ、１６ａ、１７ａ、及び締結用凸部１４の螺合用下穴の角度がいずれもθ１であって、各ネジ６１〜６５の締結後の角度もθ１である。ここで、θ１は、鍵盤装置１００を平な床に載置した場合において、鉛直方向に対する前方への傾き角度である。
【００５２】
一方、鍵盤装置２００においては、図１２、図１３（ａ）、（ｂ）に示すように、螺合用下穴１５ａ、１６ａ、１７ａに対応する螺合用下穴２１５ａ、２１６ａ、２１７ａの角度は、θ２である。ここで、θ２＞θ１である。また、図示はしないが、螺合用下穴１３ａ及び締結用凸部１４の螺合用下穴に対応する螺合用下穴の角度もθ２である。このように、鍵盤装置１００、２００において、それぞれ全螺合用下穴の角度がθ１、θ２で共通であるので、上ケースＵＣ、ＵＣ２をそれぞれ金型成形する際、アンダーカット部が生じることなく、上下方向への上／下金型の離脱動作で簡単に全螺合用下穴を設けることができるようになっている。
【００５３】
図１２、図１３（ｂ）に示すように、鍵盤装置２００の中間連結部ＣＮ５の構成は、上記角度θ１とθ２との違いを除いて鍵盤装置１００と基本的に同様であり、締結用凸部２１５、２１６、当接面２１６ｂ、締結用凸部２３３、前壁部２３３ａ、当接部２３３ｂ、後壁部２３３ｃ、被当接面２３３ｂ１、ネジ挿通穴２３４、締結用凸部２３５、前壁部２３５ａ、当接部２３５ｂ、後壁部２３５ｃ、被当接面２３５ｂ１は、それぞれ、鍵盤装置１００における締結用凸部１５、１６、当接面１６ｂ、締結用凸部３３、前壁部３３ａ、当接部３３ｂ、後壁部３３ｃ、被当接面３３ｂ１、ネジ挿通穴３４、締結用凸部３５、前壁部３５ａ、当接部３５ｂ、後壁部３５ｃ、被当接面３５ｂ１と同様に構成される。また、図１３（ａ）に示すように、鍵盤装置２００の前側連結部ＣＮ６の構成も、上記角度θ１とθ２との違いを除いて鍵盤装置１００と基本的に同様であり、締結用凸部２１７、当接面２１７ｂはそれぞれ、鍵盤装置１００における、締結用凸部１７、当接面１７ｂと同様に構成される。
【００５４】
ここでまず、図７及び図１２を参照すると、まず、鍵盤装置１００と鍵盤装置２００とでは、前側下ケースＬＣｆ及び鍵盤ユニットＫＢＵが共通であるが、螺合用下穴１５ａ、２１５ａの角度は異なっている。従って、共通基端部５０の上面５１に対して、上ケースＵＣの締結用凸部１５と上ケースＵＣ２の締結用凸部２１５とは、異なる位置で当接する。ところが、上面５１が側面視凸曲面となっているので、両者とも上面５１との当接状態は良好に確保される。また、被当接面３３ｂ１、２３３ｂ１はいずれも、ネジ６３を螺合用下穴１５ａ、２１５ａにそれぞれ螺合したとき、ネジ６３の頭部に適切に面当接するような角度に形成されている。後側下ケースＬＣｒと後側下ケースＬＣｒ２とは別個に金型成形されるから、このような設定が可能である。従って、いずれの機種においても、鍵盤付き前側下ケースＫＢＬＣを共用しつつも、ネジ６３の締結を適切に行うことができる。
【００５５】
次に、図１０（ａ）及び図１３（ａ）を参照すると、鍵盤装置１００、２００間で前側下ケースＬＣｆは共通であるから、受け面２８ｂの角度乃至形状も共通である。そこで、鍵盤装置２００の上ケースＵＣ２においては、締結用凸部２１７の当接面２１７ｂが、締結用凸部１７の当接面１７ｂと同様に受け面２８ｂに対して面当接するように形成されている。また、螺合用下穴１７ａと螺合用下穴２１７ａとは角度が異なるため、鍵盤装置１００、２００において、それぞれネジ６５を螺合用下穴１７ａ、２１７ａに螺合したとき、ネジ６５の頭部の被当接面２８ａに対する当接位置は異なる。しかし、上述のように、被当接面２８ａは凸曲面状であるので、これがフラット面である場合に比べれば、当接状態が良い。従って、いずれの機種においても、前側下ケースＬＣｆを共用しつつも、ネジ６５の締結を適切に行うことができる。
【００５６】
次に、図８及び図１３（ｂ）を参照すると、鍵盤装置１００、２００間で前側下ケースＬＣｆは共通であるから、被当接部２６ｂ２、受け面２６ｂ２ｂの角度も共通である。そこでまず、鍵盤装置２００の上ケースＵＣ２においては、締結用凸部２１６の当接面２１６ｂが、締結用凸部１６の当接面１６ｂと同様に受け面２６ｂ２ｂに対して面当接するように形成されている。また、後側下ケースＬＣｒ２においては、被当接面２３５ｂ１は、被当接面３５ｂ１と同様に、ネジ６４を螺合用下穴２１６ａに螺合したとき、ネジ６４の頭部に適切に面当接するような角度に形成されている。さらに、被当接面２６ｂ２ａが凸曲面状となっているので、締結用凸部２３５の当接部２３５ｂと被当接面２６ｂ２ａとの当接状態は、鍵盤装置１００の場合と同様に良好である。従って、いずれの機種においても、前側下ケースＬＣｆを共用しつつも、ネジ６４の締結を適切に行うことができる。
【００５７】
ところで、後側連結部ＣＮ４における締結部分の構成は、図示はしないが、この部分は、上ケースＵＣ２と後側下ケースＬＣｒ２とを結合、締結する部分であるので、ネジ６１、６２の締結角度であるθ２に合わせて、当接箇所等の角度乃至形状を、鍵盤装置１００とは無関係に鍵盤装置２００独自に設計できる。従って、特段の工夫がなくともネジ６１、６２の適切な締結を実現可能である。
【００５８】
図１４は、鍵盤装置２００の後側連結部ＣＮ４の部分縦断面図である。鍵盤装置２００においては、鍵盤装置１００とは異なり、パッキン６９が設けられる。パッキン６９は、後側下ケースＬＣｒ２の後側縁部７０を覆うように設けられ、後側縁部７０の外側からパッキン６９を挟んで上ケースＵＣ２が覆っている。これにより、鍵盤装置２００において、楽音発生時における振動、びりつき等によるノイズが抑制される。
【００５９】
［鍵盤装置３００の説明］
図１５は、鍵盤装置３００の構成を示す断面図であり、図３に対応する図である。鍵盤装置３００は、鍵盤装置１００と共通の前側下ケースＬＣｆ及び鍵盤ユニットＫＢＵに、後側下ケースＬＣｒとは異なる後側下ケースＬＣｒ３と上ケースＵＣとは異なる上ケースＵＣ３とを組み付けて構成される。後側下ケースＬＣｒ３と上ケースＵＣ３とは後側連結部ＣＮ７及び中間連結部ＣＮ８において結合され、前側下ケースＬＣｆと後側下ケースＬＣｒ３とは中間連結部ＣＮ８において結合され、前側下ケースＬＣｆと上ケースＵＣ３とは中間連結部ＣＮ８及び前側連結部ＣＮ９において結合される。
【００６０】
鍵盤装置２００の場合と同様に、鍵盤装置１００とでは、組み付けに用いる締結手段としての各ネジ６１〜６５に対応する螺合用下穴の角度が異なっており（角度θ３）、例えば、締結用凸部３５に相当する締結用凸部３３５が設けられる等、各ネジ６１〜６５に対応する構造においても、当接箇所等の角度乃至形状を、当接が適切となるように、角度θ３に合わせて設計されている。また、特に、鍵盤装置３００では、スピーカ７１が、上ケースＵＣ３及び後側下ケースＬＣｒ３の後部に設けられており、前後長も短く、外観的には鍵盤装置１００、２００とは著しく異なったものとなっている。
【００６１】
本実施の形態によれば、鍵盤ユニットＫＢＵを内装するためのケース構造体を、３分割したケースで構成し、前側下ケースＬＣｆと鍵盤ユニットＫＢＵとで成る単一種類の鍵盤付き前側下ケースＫＢＬＣに対して、後側下ケースＬＣｒ、ＬＣｒ２、ＬＣｒ３のうち１つと、上ケースＵＣ、ＵＣ２、ＵＣ３のうち１つとを選択的に取り付けることで、複数種類のケース構造体が構成されるようにしたので、鍵盤付き前側下ケースＫＢＬＣの共通化により、従来のケース構造体のように上ケース及び下ケースを機種毎に異ならせる場合に比し、金型コストを抑えつつ機種のバリエーションを飛躍的に増加させることができる。例えば、上ケースのパネル面角度が異なる機種間で鍵盤付き前側下ケースＫＢＬＣを共通化するだけでなく、鍵盤装置３００で例示したように、鍵盤装置１００に対して、後側下ケースＬＣｒ３と共に上ケースＵＣ３を変更することで、奥行き寸法や外観形状が全く異なる鍵盤装置に対して鍵盤付き前側下ケースＫＢＬＣを共通化することも可能である。鍵盤装置１００の前後長や平面視形状も、前側下ケースＬＣｆに依存することなく、制約が少ない。
【００６２】
また、図１〜図１０において鍵盤装置１００を例示して説明したように、上ケースＵＣにおいて、複数の螺合用下穴のうち、螺合用下穴１３ａ、１６ａ、１７ａについては、左右両側部１２Ｌ、１２Ｒに配されたので、前側下ケースＬＣｆ及び後側下ケースＬＣｒが、鍵盤装置１００の略前後長に亘る上ケースＵＣの左右両側部１２Ｌ、１２Ｒを実質的なつなぎ部として固定されることから、組み付け後のケース構造体の前後方向における剛性を高めることができる。
【００６３】
また、鍵盤装置１００を例示して説明したように、組み付けによりケース構造体を構成したとき、前側下ケースＬＣｆの樋状部２６の床敷部２６ｂは、後側下ケースＬＣｒの当接部３３ｂ、３５ｂの上に重なり、且つ、鍵盤ユニットＫＢＵの共通基端部５０は、実質的に、床敷部２６ｂによって支持される。すなわち、鍵盤ユニットＫＢＵを支持する鍵盤ユニット支持部が後側下ケースＬＣｒや上ケースＵＣに依存せず、前側下ケースＬＣｆにのみ帰属する。従って、高い精度が要求される鍵盤ユニットＫＢＵにおいて、鍵盤装置１００の組み付けによる精度不良が生じにくい。
【００６４】
しかも、床敷部２６ｂは、中間連結部ＣＮ２、すなわち、前側下ケースＬＣｆ及び後側下ケースＬＣｒがオーバーラップした部分に位置し、オーバーラップ位置にて、当接部３３ｂ、３５ｂと当接させた状態で、ネジ６３、６４で上ケースＵＣの螺合用下穴１５ａ、１６ａに螺合固定される。これにより、前側下ケースＬＣｆと後側下ケースＬＣｒとのつなぎ部である中間連結部ＣＮ２の強度を高くでき、下ケースを２つに分離して構成したことによるケース構造体全体の剛性不足を解消できる。それだけでなく、ネジ６３、６４で締結された箇所の近傍（床敷部２６ｂ）で鍵盤ユニットＫＢＵが支持されるので、鍵盤ユニットＫＢＵの取り付け精度も向上し、鍵盤ユニットＫＢＵの精度不良の問題を解消することができる。
【００６５】
本実施の形態によればまた、組み付けによりケース構造体を構成したとき、前側下ケースＬＣｆの垂下リブ２６ｃと後側下ケースＬＣｒの後壁部３３ｃ等、略鉛直方向に沿った壁部同士が近接対向するようにしたので、組み付け後における下側ケース（前側下ケースＬＣｆと後側下ケースＬＣｒ）の主に前後方向における強度が高くなる。しかも、樋状部２６に締結用凸部３３、３５が嵌入されるので、下側ケースの前後方向だけでなく鍵並び方向における剛性も高い。よって、３つに分離して構成されるケースを結合して成るケース構造体において、下側ケースの結合強度を高めて、ケース構造体の高い剛性を確保することができる。
【００６６】
また、中間連結部ＣＮ２における締結は、前側下ケースＬＣｆと後側下ケースＬＣｒと上ケースＵＣの共締めであるので、部品点数少なくて済む。
【００６７】
さらに、床敷部２６ｂに設けたガイドレール２７ｆ、２７ｒは、鍵盤ユニットＫＢＵの共通基端部５０と当接して共通基端部５０の前後方向における仮位置決め基準となるので、鍵盤ユニットＫＢＵの組み付け作業が容易となるだけでなく、ガイドレール２７ｆ、２７ｒが、鍵並び方向に沿った突条であるので、下側ケースの鍵並び方向の剛性向上にもつながる。
【００６８】
また、前側下ケースＬＣｆの底板部２５と後側下ケースＬＣｒの底板部４１とは、面一になっており、これにより、下側ケースは２分割結合型でありながら、下方への出っ張りがなく、一体もののように認識される。さらに、樋状部２６は下方に開口したコ字形状でありながら、その内側には、リブ２６ｂ３、リブ３１等の複数のリブが存在することから、樋状部２６の下方からケース構造体の内部にクリップ等の異物が入り込みにくい。
【００６９】
なお、上述のように、後側下ケースＬＣｒ及び上ケースＵＣの組み合わせで多機種生産が可能であり、構成可能な機種は、例示した鍵盤装置１００、２００、３００の３機種に限られるものではない。
【００７０】
なお、鍵盤ユニットＫＢＵを直接支持する床敷部２６ｂは、前側下ケースＬＣｆに設けたが、鍵盤ユニットＫＢＵの精度維持の観点に限って言えば、これとは逆の構成としてもよい。すなわち、後側下ケースＬＣｒに床敷部を設け、床敷部対応部である当接部３３ｂ、３５ｂに相当する当接部を前側下ケースＬＣｆに設けて、この当接部の上に後側下ケースＬＣｒの上記床敷部を重ねてもよい。
【００７１】
なお、鍵盤ユニットＫＢＵの共通基端部５０の仮位置決め基準の機能を果たすという観点に限って言えば、その構成は、ガイドレール２７ｆ、２７ｒのように突条状でなくてもよく、突起部のようなものであってもよい。また、ガイドレール２７ｆ、２７ｒの双方でなく、いずれか一方であってもよい。
【００７２】
なお、締結用凸部１６は、請求項１における第１締結部にだけでなく、第２締結部にも含めてもよい。
【図面の簡単な説明】
【００７３】
【図１】本発明の一実施の形態に係る外装構造が適用される鍵盤楽器の、鍵盤ユニットと上ケースとを外した状態を示す平面図である。
【図２】同鍵盤装置の底面図である。
【図３】図２のIII−III線に沿う断面図である。
【図４】上ケースの裏面図である。
【図５】前側下ケースと後側下ケースとの組み付けの様子を示す斜視図である。
【図６】図２のVI−VI線に沿う断面図である。
【図７】図２のVII−VII線に沿う断面図である。
【図８】図２、図３に示す中間連結部の部分拡大図である。
【図９】図２のIX−IX線に沿う断面図である。
【図１０】前側連結部の部分縦断面図（図（ａ））、及び後側連結部の部分縦断面図である。
【図１１】鍵盤装置の構成を示す図３に対応する断面図である。
【図１２】図７に対応する中間連結部の部分縦断面図である。
【図１３】図１０（ａ）に対応する前側連結部の部分縦断面図（図（ａ））、及び図８に対応する中間連結部の部分縦断面図（図（ｂ））である。
【図１４】鍵盤装置の後側連結部の部分縦断面図である。
【図１５】鍵盤装置の構成を示す図３に対応する断面図である。
【符号の説明】
【００７４】
ＫＢＵ  鍵盤ユニット、  ＬＣｆ  前側下ケース、  ＬＣｒ、ＬＣｒ２、ＬＣｒ３  後側下ケース、  ＵＣ、ＵＣ２、ＵＣ３  上ケース、  ＫＢＬＣ  鍵盤付き前側下ケース、  ＣＮ２、ＣＮ５、ＣＮ８  中間連結部（オーバーラップした部分）、  １２Ｌ、１２Ｒ  左右両側部、  １３、１４、１５  締結用凸部（第２締結部）、  １３ａ、１５ａ、１６ａ、１７ａ  螺合用下穴、  １６、１７  締結用凸部（第１締結部）、  ２４、２９  ネジ挿通穴（第１締結部対応部）、  ２６  樋状部、  ２６ｂ  床敷部（鍵盤ユニット支持部）、  ３３、３５  締結用凸部（結合用凸部）、  ３８、３４、４０  ネジ挿通穴（第２締結部対応部）、  １００、２００、３００  鍵盤装置
【図１】
2006178354.tif 000003
【図２】
2006178354.tif 000004
【図３】
2006178354.tif 000005
【図４】
2006178354.tif 000006
【図５】
2006178354.tif 000007
【図６】
2006178354.tif 000008
【図７】
2006178354.tif 000009
【図８】
2006178354.tif 000010
【図９】
2006178354.tif 000011
【図１０】
2006178354.tif 000012
【図１１】
2006178354.tif 000013
【図１２】
2006178354.tif 000014
【図１３】
2006178354.tif 000015
【図１４】
2006178354.tif 000016
【図１５】
2006178354.tif 000017